(57)【要約】【課題】  インターネット上に存在する地図情報などのインタラクティブでない画像情報をインタラクティブな画像情報に設定できるようにする。【解決手段】  通信部８は、ネットワークを介してＷｅｂサーバから入力した画像圧縮処理がなされたカラーの地図情報をＲＡＭ４に記憶する。ＣＰＵ１は、ＲＡＭ４に記憶されたカラーの地図情報に含まれている検索の対象となる地図画像の色情報と、交通事象の検索のために参照する複数の参照画像の色情報との色距離を算出し、算出した色距離が閾値ＴＨ１以下の条件を満たすか否かを判定して、条件を満たすと判定した参照画像に対応する地図画像の領域をハイライト表示するように画像処理を行って表示部７に出力する。【選択図】  図１
2006184631.tif 000002
【特許請求の範囲】
【請求項１】
ネットワークを介して外部から入力されたカラーの画像情報を記憶する記憶手段と、
前記記憶手段に記憶されたカラーの画像情報に含まれている検索の対象となる検索画像の色情報と検索のために参照する複数の参照画像の色情報との色距離を算出する色距離演算手段と、
前記色距離演算手段によって算出された色距離が所定の条件を満たすか否かを判定する色距離判定手段と、
前記色距離判定手段によって前記条件を満たすと判定された色距離に対応する検索画像および参照画像の少なくとも一方の表示態様を変化させる画像処理を行って所定の表示手段に出力する表示設定手段と、
を備えた表示制御装置。
【請求項２】
前記記憶手段に記憶されたカラーの画像情報をモノクロに変換する画像変換手段をさらに備え、前記色距離演算手段は、前記画像変換手段によって変換されたモノクロの複数の参照画像および検索画像が前記表示手段に表示された場合に、操作に応じて選択されたモノクロの参照画像に対応するカラーの参照画像の色情報と表示されたモノクロの検索画像に対応するカラーの検索画像の色情報との色距離を算出し、前記表示設定手段は、表示されたモノクロの検索画像において前記色距離判定手段によって前記条件を満たすと判定された領域をハイライト表示する画像処理を行うことを特徴とする請求項１に記載の表示制御装置。
【請求項３】
前記記憶手段に記憶されたカラーの画像情報をモノクロに変換する画像変換手段をさらに備え、前記色距離演算手段は、前記画像変換手段によって変換されたモノクロの複数の参照画像および検索画像が前記表示手段に表示された場合に、操作に応じて選択されたモノクロの検索画像の領域に対応するカラーの検索画像の色情報と表示されたモノクロの複数の参照画像に対応するカラーの参照画像の色情報との色距離を算出し、前記表示設定手段は、表示されたモノクロの複数の参照画像において前記色距離判定手段によって前記条件を満たすと判定された参照画像をハイライト表示する画像処理を行うことを特徴とする請求項１に記載の表示制御装置。
【請求項４】
前記色距離判定手段は、操作に応じて指定された参照画像の色情報と地図画像において指定した画素の色情報との色距離が前記条件を満たしている場合には、さらに当該色距離が全ての参照画像の色情報と当該指定した画素の色情報との色距離の中で最小であるか否かを判別し、前記表示設定手段は、前記色距離判定手段によって当該色距離が最小であると判定した場合に当該指定した画素をハイライト表示する画像処理を行うことを特徴とする請求項１に記載の表示制御装置。
【請求項５】
前記色距離演算手段は、前記記憶手段に記憶された画像情報がＪＰＥＧ画像で且つその圧縮率が所定値未満の場合、又は、ＪＰＥＧ画像でない場合には、ＹＵＶ空間のＹＵＶ距離若しくはＲＧＢ空間のＲＧＢ距離によって色距離を算出し、前記画像記憶手段に記憶された画像情報が前記特定の画像処理によって圧縮されたＪＰＥＧ画像で且つその圧縮率が所定値以上である場合には、ＹＵＶ空間のＵＶ距離によって色距離を算出することを特徴とする請求項１に記載の表示制御装置。
【請求項６】
ネットワークを介して外部から入力されたカラーの画像情報を所定の記憶手段に記憶する第１のステップと、
前記記憶手段に記憶されたカラーの画像情報に含まれている検索の対象となる検索画像の色情報と検索のために参照する複数の参照画像の色情報との色距離を算出する第２のステップと、
前記第２のステップによって算出された色距離が所定の条件を満たすか否かを判定する第３のステップと、
前記第３のステップによって前記条件を満たすと判定された色距離に対応する検索画像および参照画像の少なくとも一方の表示態様を変化させる画像処理を行って所定の表示手段に出力する第４のステップと、
を実行する表示制御処理のプログラム。
【請求項７】
前記記憶手段に記憶されたカラーの画像情報をモノクロに変換する第５のステップをさらに実行し、前記第２のステップは、前記第５のステップによって変換されたモノクロの複数の参照画像および検索画像が前記表示手段に表示された場合に、操作に応じて選択されたモノクロの参照画像に対応するカラーの参照画像の色情報と表示されたモノクロの検索画像に対応するカラーの検索画像の色情報との色距離を算出し、前記第４のステップは、表示されたモノクロの検索画像において前記第３のステップによって前記条件を満たすと判定された領域をハイライト表示する画像処理を行うことを特徴とする請求項６に記載の表示制御処理のプログラム。
【請求項８】
前記記憶手段に記憶されたカラーの画像情報をモノクロに変換する第５のステップをさらに備え、前記第２のステップは、前記第５のステップによって変換されたモノクロの複数の参照画像および検索画像が前記表示手段に表示された場合に、操作に応じて選択されたモノクロの検索画像の領域に対応するカラーの検索画像の色情報と表示されたモノクロの複数の参照画像に対応するカラーの参照画像の色情報との色距離を算出し、前記第４のステップは、表示されたモノクロの複数の参照画像において前記第３のステップによって前記条件を満たすと判定された参照画像をハイライト表示する画像処理を行うことを特徴とする請求項６に記載の表示制御処理のプログラム。
【請求項９】
前記第３のステップは、操作に応じて指定された参照画像の色情報と地図画像において指定した画素の色情報との色距離が前記条件を満たしている場合には、さらに当該色距離が全ての参照画像の色情報と当該指定した画素の色情報との色距離の中で最小であるか否かを判別し、前記第４のステップは、前記第３のステップによって当該色距離が最小であると判定した場合に当該指定した画素をハイライト表示する画像処理を行うことを特徴とする請求項６に記載の表示制御処理のプログラム。
【請求項１０】
前記第２のステップは、前記記憶手段に記憶された画像情報がＪＰＥＧ画像で且つその圧縮率が所定値未満の場合、又は、ＪＰＥＧ画像でない場合には、ＹＵＶ空間のＹＵＶ距離若しくはＲＧＢ空間のＲＧＢ距離によって色距離を算出し、前記画像記憶手段に記憶された画像情報が前記特定の画像処理によって圧縮されたＪＰＥＧ画像で且つその圧縮率が所定値以上である場合には、ＹＵＶ空間のＵＶ距離によって色距離を算出することを特徴とする請求項６に記載の表示制御処理のプログラム。
【請求項１１】
通信端末装置、並びに、任意の通信端末装置からネットワークを介してアクセスがあったときに当該通信端末と接続する第１のサーバおよび第２のサーバで構成される画像通信システムであって、
前記第１のサーバはアクセスした通信端末装置に対して画像情報を配信し、
前記通信端末装置は、前記第２のサーバにアクセスしてデータベースに記憶されている設定情報を選択して、前記第１のサーバから配信された画像情報を新たな表示形式に設定し、
前記第２のサーバは、複数種類の設定情報の各々に優先順位を付与して記憶している前記データベースにおいて、通信端末装置によって選択された設定情報の優先順位を高く更新することを特徴とする画像通信システム。
【請求項１２】
通信端末装置、並びに、任意の通信端末装置からネットワークを介してアクセスがあったときに当該通信端末と接続する第１のサーバおよび第２のサーバで構成される画像通信システムであって、
前記第１のサーバはアクセスした通信端末装置に対して画像情報および設定情報を配信し、
通信端末装置は、前記第１のサーバから配信された画像情報を新たな表示形式に設定するための設定情報を決定し、前記第２のサーバにアクセスして当該決定した設定情報を送信することを特徴とする画像通信システム。
【請求項１３】
前記通信端末装置は、請求項１ないし５のいずれか１項に記載の表示制御装置で構成されることを特徴とする請求項１１または１２に記載の画像通信システム。
【請求項１４】
前記通信端末装置は、請求項６ないし１０のいずれか１項に記載の表示制御処理のプログラムを実行することを特徴とする請求項１１または１２に記載の画像通信システム。
【発明の詳細な説明】
【技術分野】
【０００１】
本発明は、表示制御装置、表示制御処理のプログラム、および画像通信システムに関し、特に、カラーの画像情報をモノクロの画像情報に変換して表示する表示制御装置、表示制御処理のプログラム、および画像通信システムに関するものである。
【背景技術】
【０００２】
道路交通情報やその他の地図情報をＷｅｂサーバから受信して利用する地図情報表示プログラムやナビゲーション装置やなどについて、従来、いくつか提案がなされている。
例えば、ある地図情報表示プログラムの提案においては、クライアント端末の画面に、Ｗｅｂを経由して取得した地図とその地図上の施設に係る施設リストとを連動させて表示するために、指示された地図範囲の地図情報を取得するステップと、地図範囲のスポットに対応付けられているスポット情報を取得するステップと、スポット情報に係るシンボルマークが重ね合わされた地図画像と、スポット情報に係る項目のリストとを画面に表示するステップと、地図画像上の一つのシンボルマーク又はリスト中の一項目のどちらか一方が選択され、その一方が他方に対応しているとき、シンボルマークと項目を強調表示するステップとを実行する。（特許文献１参照）
【０００３】
また、ある提案のナビゲーション装置および渋滞区間表示方法においては、地図表示を煩雑化することなく、経路案内を行う経路上における渋滞等他の交通事象発生区間を表示するために、案内する目的地までの経路である誘導経路を設定する誘導経路設定手段と、地図情報とその地図情報上に表わした誘導経路を表わすルート図形とを含む案内画像を生成する案内画像生成手段と、生成された案内画像を表示する表示手段と、道路交通事象の情報とその道路交通事象が発生している区間又は地点の情報を含む道路交通情報を受信する道路交通情報受信手段と、受信した道路交通情報を記憶する情報記憶手段と、記憶された道路交通情報が表わす道路交通事象が生じている誘導経路上の区間又は地点を識別表示対象として抽出する区間算出手段とを有し、案内画像生成手段は、ルート図形の識別表示対象として抽出された区間又は地点に対応する部分が、他の部分と区別可能な表示属性で表示されるように、案内画像を生成する。（特許文献２参照）
【０００４】
また、ある提案のナビゲーション装置においては、道路地図に関する道路地図データを記憶する道路地図記憶手段と、車両の現在地を検出する車両位置検出手段と、車両の出発地を設定する出発地設定手段と、車両の目的地を設定する目的地設定手段と、道路地図データに基づいて出発地から目的地までの推奨経路を設定する推奨経路設定手段と、現在地周辺の推奨経路を含む道路地図をディスプレイに表示する表示制御手段とを備え、渋滞情報を含む道路交通情報を受信する道路交通情報受信手段によって、受信された渋滞情報に応じて、表示制御手段はディスプレイに表示されている推奨経路の表示形態を変更する。（特許文献３参照）
【特許文献１】特開２００３−１０７９９０号公報
【特許文献２】特開２００３−１９４５６８号公報
【特許文献３】特開平１１−３２５９４７号公報
【発明の開示】
【発明が解決しようとする課題】
【０００５】
道路交通情報やその他の地図情報をＷｅｂサーバから受信して利用する場合には、渋滞、混雑、通行止などの現象を色別で表わす参照画像を参照して、参照画像の色と同一の色の箇所を地図上で識別するようになっている。このためには、渋滞、混雑、通行止などの現象を表わす参照画像の色と、各現象を表わす地図上の色とが一意に対応していることが必要である。上記特許文献１ないし特許文献３の提案においては、参照画像の色と地図上の画像の色との対応性には言及されていないが、実際には、参照画像の色と地図上の画像の色とは一意に対応していない。交通情報センタやその他の機関から受信する画像情報は、カラー静止画圧縮方式であるＪＰＥＧや、近年Ｗｅｂ上で多く利用されているＧＩＦなどの符号化処理のために、輝度情報に比較して色情報が少なくなっている。特に、ＪＰＥＧにおける離散コサイン変換（ＤＣＴ）方式のように高い圧縮率で符号化された場合には、色情報が削減された後、さらに量子化によって色情報が削減されるので色成分に欠落が大きくなるとともに、色滲みが発生する。
【０００６】
例えば、道路交通情報を提供する、あるホームページの画像情報においては、参照画像はＧＩＦ画像であり、地図画像は非常に高い圧縮率のＪＰＥＧ画像になっている。色情報は赤、緑、青の３原色の成分によって（Ｒ，Ｇ，Ｂ）で表わされる。したがって、２５６諧調の８ビットの色情報の場合には、本来の緑色は（０，２５５，０）であり、本来の橙色は（２５５，１２７，０）である。ところが、このホームページの地図情報においては、渋滞を表わす参照画像の橙色は（２５５，２０４，５１）、他の規制の緑色は（１５３，２０４，０）になっている。この参照画像はＧＩＦ画像であるので色滲みは発生していない。一方、地図画像においては、渋滞領域を表わす橙色は（１９７，１７３，２３）となっており、色滲みも発生している。表１は、参照画像における渋滞（橙色）およびその他（緑色）と地図画像における渋滞領域（橙色）とを３原色の成分（Ｒ，Ｇ，Ｂ）で比較したデータを示している。このデータから明らかなように、参照画像の渋滞部分は橙色であるが、地図画像の渋滞領域の橙色が緑色に近くなっているとともに色滲みが発生しているので、渋滞領域の橙色と他の規制の緑色との区別が困難になっている。
2006184631.tif 000003
【０００７】
特に、２５６諧調の色情報を表示することができず、２５６階調又は１６諧調のモノクロの画像表示機能しか持っていない携帯情報端末（ＰＤＡ）などの通信端末装置では、２５６階調の色情報をモノクロの情報に変換する必要がある。しかしながら、一般に道路交通情報を提供するホームページは単なる画像の集合であり、特にインタラクティブな地図情報になっていないので、モノクロの画像として表示した場合には、参照画像と地図画像との間の対応部分の認識が困難になる。
【０００８】
さらに、インターネット上のＷｅｂサーバから受信した道路交通情報の地図画像の色は複雑であるので、人間の視覚の許容性が小さい類似した色の場合には異なる色を識別できない。
【０００９】
さらにまた、インターネット上のＷｅｂサーバから受信した道路交通情報は極めて公共性が高いにもかわらず、道路交通情報の画像情報を利用するユーザ同士の間において、画像情報の有効利用に関する情報交換が行われていないので、情報資源の活用性が低い。
【００１０】
本発明は、このような従来の課題を解決するためのものであり、インターネット上に存在する地図情報などのインタラクティブでない画像情報をインタラクティブな画像情報に設定できるようにすることを目的とする。
また、本発明は、インターネット上に存在する地図情報などの画像情報が複雑な色であっても、選択された参照画像の色に対応する地図画像の領域を正確に識別できるような処理を行うことを目的とする。
また、本発明は、インターネット上に存在する道路交通情報などの画像情報を利用するユーザ同士の間において情報交換を可能にして、情報資源の活用性を高くすることを目的とする。
【課題を解決するための手段】
【００１１】
請求項１に記載のネットワークを介して外部から入力されたカラーの画像情報を記憶する記憶手段（実施形態においては、図１のＲＡＭ４に相当する）と、記憶手段に記憶されたカラーの画像情報に含まれている検索の対象となる検索画像（実施形態においては、図２の地図画像１１に相当する）の色情報と検索のために参照する複数の参照画像（実施形態においては、図２の参照画像１０に相当する）の色情報との色距離を算出する色距離演算手段（実施形態においては、図１のＣＰＵ１に相当する）と、色距離演算手段によって算出された色距離が所定の条件（実施形態においては、閾値ＴＨ１以下の条件に相当する）を満たすか否かを判定する色距離判定手段（実施形態においては、図１のＣＰＵ１に相当する）と、色距離判定手段によって条件を満たすと判定された色距離に対応する検索画像および参照画像の少なくとも一方の表示態様を変化させる画像処理（実施形態においては、点滅表示、最大輝度表示、最小輝度表示などのハイライト表示に相当する）を行って所定の表示手段（実施形態においては、図１の表示部７に相当する）に出力する表示設定手段（実施形態においては、図１のＣＰＵ１に相当する）とを備えた構成になっている。
【００１２】
請求項１の表示制御装置において、請求項２に記載したように、記憶手段に記憶されたカラーの画像情報をモノクロに変換する画像変換手段（実施形態においては、図１のＣＰＵ１に相当する）をさらに備え、色距離演算手段は、画像変換手段によって変換されたモノクロの複数の参照画像および検索画像が表示手段に表示された場合に、操作に応じて選択されたモノクロの参照画像に対応するカラーの参照画像の色情報と表示されたモノクロの検索画像に対応するカラーの検索画像の色情報との色距離を算出し、表示設定手段は、表示されたモノクロの検索画像において色距離判定手段によって条件を満たすと判定された領域をハイライト表示する画像処理を行うような構成にしてもよい。
【００１３】
請求項１の表示制御装置において、請求項３に記載したように、記憶手段に記憶されたカラーの画像情報をモノクロに変換する画像変換手段（実施形態においては、図１のＣＰＵ１に相当する）をさらに備え、色距離演算手段は、画像変換手段によって変換されたモノクロの複数の参照画像および検索画像が表示手段に表示された場合に、操作に応じて選択されたモノクロの検索画像の領域に対応するカラーの検索画像の色情報と表示されたモノクロの複数の参照画像に対応するカラーの参照画像の色情報との色距離を算出し、表示設定手段は、表示されたモノクロの複数の参照画像において色距離判定手段によって条件を満たすと判定された参照画像をハイライト表示する画像処理を行うような構成にしてもよい。
【００１４】
請求項１の表示制御装置において、請求項４に記載したように、色距離判定手段は、操作に応じて指定された参照画像の色情報と地図画像において指定した画素の色情報との色距離が条件を満たしている場合には、さらに当該色距離が全ての参照画像の色情報と当該指定した画素の色情報との色距離の中で最小であるか否かを判別し、表示設定手段は、色距離判定手段によって当該色距離が最小であると判定した場合に当該指定した画素をハイライト表示する画像処理を行うような構成にしてもよい。
【００１５】
請求項１の表示制御装置において、請求項５に記載したように、色距離演算手段は、記憶手段に記憶された画像情報がＪＰＥＧ画像で且つその圧縮率が所定値未満の場合、又は、ＪＰＥＧ画像でない場合には、ＹＵＶ空間のＹＵＶ距離若しくはＲＧＢ空間のＲＧＢ距離によって色距離を算出し、画像記憶手段に記憶された画像情報が特定の画像処理によって圧縮されたＪＰＥＧ画像で且つその圧縮率が所定値以上である場合には、ＹＵＶ空間のＵＶ距離によって色距離を算出するような構成にしてもよい。
【００１６】
請求項６に記載の表示制御処理のプログラムは、ネットワークを介して外部から入力されたカラーの画像情報を所定の記憶手段（実施形態においては、図１のＲＡＭ４に相当する）に記憶する第１のステップと、記憶手段に記憶されたカラーの画像情報に含まれている検索の対象となる検索画像（実施形態においては、図２の地図画像１１に相当する）の色情報と検索のために参照する複数の参照画像（実施形態においては、図２の参照画像１０に相当する）の色情報との色距離を算出する第２のステップと、第２のステップによって算出された色距離が所定の条件（実施形態においては、閾値ＴＨ１以下に相当する）を満たすか否かを判定する第３のステップと、第３のステップによって条件を満たすと判定された色距離に対応する検索画像および参照画像の少なくとも一方の表示態様を変化させる画像処理（実施形態においては、点滅表示、最大輝度表示、最小輝度表示などのハイライト表示に相当する）を行って所定の表示手段（実施形態においては、図１の表示部７に相当する）に出力する第４のステップと、を実行する。
第１ステップないし第４ステップは、実施形態においては、図１のＣＰＵ１の処理に相当する。
【００１７】
請求項６の表示制御処理のプログラムにおいて、請求項７に記載したように、記憶手段に記憶されたカラーの画像情報をモノクロに変換する第５のステップをさらに実行し、第２のステップは、第５のステップによって変換されたモノクロの複数の参照画像および検索画像が表示手段に表示された場合に、操作に応じて選択されたモノクロの参照画像に対応するカラーの参照画像の色情報と表示されたモノクロの検索画像に対応するカラーの検索画像の色情報との色距離を算出し、第４のステップは、表示されたモノクロの検索画像において第３のステップによって条件を満たすと判定された領域をハイライト表示する画像処理を行うような構成にしてもよい。
第５のステップは、実施形態においては、図１のＣＰＵ１の処理に相当する。
【００１８】
請求項６の表示制御処理のプログラムにおいて、請求項８に記載したように、記憶手段に記憶されたカラーの画像情報をモノクロに変換する第５のステップをさらに備え、第２のステップは、第５のステップによって変換されたモノクロの複数の参照画像および検索画像が表示手段に表示された場合に、操作に応じて選択されたモノクロの検索画像の領域に対応するカラーの検索画像の色情報と表示されたモノクロの複数の参照画像に対応するカラーの参照画像の色情報との色距離を算出し、第４のステップは、表示されたモノクロの複数の参照画像において第３のステップによって条件を満たすと判定された参照画像をハイライト表示する画像処理を行うような構成にしてもよい。
第５のステップは、実施形態においては、図１のＣＰＵ１の処理に相当する。
【００１９】
請求項６の表示制御処理のプログラムにおいて、請求項９に記載したように、第３のステップは、操作に応じて指定された参照画像の色情報と地図画像において指定した画素の色情報との色距離が条件を満たしている場合には、さらに当該色距離が全ての参照画像の色情報と当該指定した画素の色情報との色距離の中で最小であるか否かを判別し、第４のステップは、第３のステップによって当該色距離が最小であると判定した場合に当該指定した画素をハイライト表示する画像処理を行うような構成にしてもよい。
【００２０】
請求項６の表示制御処理のプログラムにおいて、請求項１０に記載したように、第２のステップは、記憶手段に記憶された画像情報がＪＰＥＧ画像で且つその圧縮率が所定値未満の場合、又は、ＪＰＥＧ画像でない場合には、ＹＵＶ空間のＹＵＶ距離若しくはＲＧＢ空間のＲＧＢ距離によって色距離を算出し、画像記憶手段に記憶された画像情報が特定の画像処理によって圧縮されたＪＰＥＧ画像で且つその圧縮率が所定値以上である場合には、ＹＵＶ空間のＵＶ距離によって色距離を算出するような構成にしてもよい。
【００２１】
請求項１１に記載の画像通信システムは、通信端末装置、並びに、任意の通信端末装置からネットワーク（実施形態においては、図７のインターネット２００に相当する）を介してアクセスがあったときに当該通信端末と接続する第１のサーバ（実施形態においては、図７のＷｅｂサーバ３００に相当する）および第２のサーバ（実施形態においては、図７の設定データベースサーバ４００に相当する）で構成される画像通信システムである。このシステムにおいて、第１のサーバはアクセスした通信端末装置に対して画像情報（実施形態においては、カラーの画像情報に相当する）を配信し、通信端末装置は、第２のサーバにアクセスしてデータベースに記憶されている設定情報を選択して、第１のサーバから配信された画像情報を新たな表示形式（実施形態においては、モノクロ表示の形式に相当する）に設定し、第２のサーバは、複数種類の設定情報の各々に優先順位を付与して記憶しているデータベースにおいて、通信端末装置によって選択された設定情報の優先順位を高く更新する。
【００２２】
請求項１２に記載の画像通信システムは、通信端末装置、並びに、任意の通信端末装置からネットワーク（実施形態においては、図７のインターネット２００に相当する）を介してアクセスがあったときに当該通信端末と接続する第１のサーバ（実施形態においては、図７のＷｅｂサーバ３００に相当する）および第２のサーバ（実施形態においては、図７の設定データベースサーバ４００に相当する）で構成される画像通信システムである。このシステムにおいて、第１のサーバはアクセスした通信端末装置に対して画像情報（実施形態においては、カラーの画像情報に相当する）および設定情報を配信し、通信端末装置は、第１のサーバから配信された画像情報を新たな表示形式（実施形態においては、モノクロ表示の形式に相当する）に設定するための設定情報を決定し、第２のサーバにアクセスして当該決定した設定情報を送信する。
【００２３】
請求項１１又は１２の画像通信システムにおいて、通信端末装置は、請求項１ないし５のいずれか１項に記載の表示制御装置で構成されるような構成にしてもよい。
【００２４】
請求項１１又は１２の画像通信システムにおいて、通信端末装置は、請求項６ないし１０のいずれか１項に記載の表示制御処理のプログラムを実行するような構成にしてもよい。
【発明の効果】
【００２５】
本発明の表示制御装置および表示制御処理のプログラムによれば、インターネット上に存在する道路交通情報などのインタラクティブでない画像情報をインタラクティブな画像情報に設定できるという効果が得られる。
また、本発明の表示制御装置および表示制御処理のプログラムによれば、インターネット上に存在する地図情報などの画像情報が複雑な色であっても、選択された参照画像の色に対応する地図画像の領域を正確に識別できるという効果が得られる。
また、本発明の画像通信システムによれば、インターネット上に存在する道路交通情報などの画像情報を利用するユーザ同士の間において情報交換を可能にして、情報資源の活用性を高くするという効果が得られる。
【発明を実施するための最良の形態】
【００２６】
以下、本発明による表示制御処理の第１実施形態ないし第２実施形態について、１６階調のモノクロで画像を表示する携帯情報端末を例に採って説明する。
図１は、各実施形態における携帯情報端末の内部構成を示すブロック図である。ＣＰＵ１は、システムバス２を介して、ＲＯＭ３、ＲＡＭ４、操作部５、ＶＲＡＭ６、表示部７、および通信部８に接続され、各部との間でコマンドおよびデータを授受してこの携帯情報端末を制御する。
【００２７】
ＲＯＭ３は、ＣＰＵ１によって実行される表示制御処理のプログラム、デフォルトのデータを予め記憶している。ＲＡＭ４は、ＣＰＵ１のワークエリアであり、２５６階調のカラー画像のデータを記憶するエリア、各種のレジスタやポインタ（変数）のエリアが設けられている。操作部５は、キーボード、マウス等のポインティングデバイス、およびインタフェース回路で構成され、ユーザの操作に応じてコマンドやデータをＣＰＵ１に入力する。ＶＲＡＭ６は、２５６階調のモノクロ画像を少なくとも１フレーム分記憶するフレームバッファであり、ＣＰＵ１の表示制御処理によって１画面の画像を展開する。表示部７は、表示コントローラやＬＣＤ（液晶表示デバイス）などの表示装置で構成され、ＣＰＵ１によってＶＲＡＭ６に記憶された１６階調のモノクロ画像を表示する。通信部８は、Ｗｅｂサーバから道路交通情報のカラーの画像情報を受信して、ＲＡＭ４に記憶する。
【００２８】
次に、第１実施形態における表示制御処理について、図２および図３を参照して説明する。
図２は、通信部８によってＷｅｂサーバから受信されて、ＲＡＭ４に記憶された２５６階調の道路交通情報のカラー画像を示している。このカラー画像は、ＧＩＦの参照画像１０と、高圧縮率のＪＰＥＧの地図画像１１で構成されている。参照画像１０は、各交通事象を示す渋滞１２、混雑１３、通行止１４、チェーン規制１５、事故１６、その他１７に対応した色情報で表わされている。地図画像１１には、渋滞領域１２ａ、混雑領域１３ａ、事故領域１６ａがそれぞれに対応する色情報で表わされている。
【００２９】
図２に示した２５６階調のカラー画像は、上記したように、ＣＰＵ１によって２５６階調のモノクロ画像に変換される。モノクロ画像への変換は、ＩＴＵ−Ｒ＿ＢＴ．６０１の変換式に基づき、輝度情報であるＹを下記の演算式によって算出する。
Ｙ＝  ０．１５７Ｒ＋０．５０４Ｇ＋０．０９８Ｂ＋１６
この演算式によって変換された２５６階調のモノクロ画像のデータはＶＲＡＭ６に記憶されて、表示部７に表示される。
なお、１６階調のモノクロ画像の機能しか持っていない携帯情報端末の場合には、この２５６階調のモノクロ画像を１６階調に変換するために、下記の演算式によって４ビットシフト処理を行う。
Ｙ＝｛（Ｒ＋Ｇ＋Ｂ）３｝＞＞４
【００３０】
２５６階調のカラー画像を２５６階調のモノクロ画像に変換して表示部７に表示することは可能であるが、そのままでは、参照画像と地図画像との交通事象の対応関係を色によって区別することはできない。そこで、参照画像と地図画像との交通事象の対応関係を輝度の変化、例えば、一定時間ごとの点滅表示、最大輝度表示、最小輝度表示のような強調表示（以下「ハイライト表示」という）によって区別する。このために、ＩＴＵ−Ｒ＿ＢＴ．６０１の変換式に基づき、ＲＧＢ空間からＹＵＶ空間への変換を行う。この場合において、ＧＩＦの参照画像又はＪＰＥＧを除く他の画像および低圧縮率のＪＰＥＧの地図画像と、高圧縮率のＪＰＥＧの地図画像とでは異なる変換式を用いる。
【００３１】
図３は、参照画像と地図画像との交通事象の対応関係をハイライト表示するためのＣＰＵ１のフローチャートである。図２に示した画像の中から検索対象となる１つの参照画像の画素がユーザによって指定されることで処理が開始される。まず、比較の対象となる地図画像がＪＰＥＧであるか否かを判別する（ステップＳＡ１）。ＪＰＥＧの画像である場合には、その画像が高圧縮率であるか否かを判別する（ステップＳＡ２）。地図画像が非ＪＰＥＧ画像である場合、又は低圧縮率のＪＰＥＧ画像である場合には、ＹＵＶの色差すなわち色空間での距離（以下「色距離」という）によって、判定を行い、高圧縮率のＪＰＥＧ画像である場合には、ＵＶ空間の色距離によって判定を行う。指定された参照画像中の１画素のＲＧＢの値を（Ｒ１，Ｇ１，Ｂ１）とし、地図画像の全画素から選択した１つの座標（ｘ，ｙ）の画素のＲＧＢの値を（Ｒｘｙ，Ｇｘｙ，Ｂｘｙ）とする。地図画像が非ＪＰＥＧ画像である場合又は低圧縮率のＪＰＥＧ画像である場合には、選択した画素の色情報を上記したＹの変換式を含む下記の演算式によって、ＲＧＢ空間の（Ｒ１，Ｇ１，Ｂ１）および（Ｒｘｙ，Ｇｘｙ，Ｂｘｙ）からＹＵＶ空間の（Ｙ１，Ｕ１，Ｖ１）および（Ｙｘｙ，Ｕｘｙ，Ｖｘｙ）に変換する。
Ｙ＝  ０．１５７Ｒ＋０．５０４Ｇ＋０．０９８Ｂ＋１６
Ｕ＝−０．１４８Ｒ−０．２９１Ｇ＋０．４３９Ｂ＋１２８
Ｖ＝  ０．４３９Ｒ−０．３６８Ｇ−０．０７１Ｂ＋１２８
【００３２】
次に、ＹＵＶの色差ｄｘｙすなわち色空間での色距離を下記の数１のＹＵＶ空間のユークリッド距離により算出する（ステップＳＡ３）。
【数１】
2006184631.tif 000004
そして、算出した色距離と設定済みの閾値ＴＨ１とを比較する（ステップＳＡ５）。色距離が閾値以内である場合には、選択した地図画像の画素（Ｙｘｙ，Ｕｘｙ，Ｖｘｙ）の色は参照画像の画素（Ｙ１，Ｕ１，Ｖ１）の色と同色と判定し、該当部分すなわち選択した地図画像の画素をハイライト表示する（ステップＳＡ６）。
【００３３】
一方、地図画像が高圧縮率のＪＰＥＧ画像である場合には、選択した画素の色情報を、ＵＶだけの変換式によって、ＲＧＢ空間の（Ｒ１，Ｇ１，Ｂ１）および（Ｒｘｙ，Ｇｘｙ，Ｂｘｙ）からＵＶ空間の（Ｕ１，Ｖ１）および（Ｕｘｙ，Ｖｘｙ）に変換する。次に、ＵＶの色距離を下記の数２のＵＶ空間のユークリッド距離により算出する（ステップＳＡ４）。
【数２】
2006184631.tif 000005
そして、算出した色距離と設定済みの閾値ＴＨ１とを比較する（ステップＳＡ５）。色距離が閾値以内である場合には、選択した地図画像の画素（Ｕｘｙ，Ｖｘｙ）の色は参照画像の画素（Ｕ１，Ｖ１）の色と同色と判定し、該当部分をハイライト表示する（ステップＳＡ６）。
【００３４】
例えば、図２に示した地図情報として、非常に高い圧縮率のＪＰＥＧ画像を入力した場合には、８ビットの（Ｒ，Ｇ，Ｂ）で表わされた参照画像１０における渋滞、他の規制、地図画像１１における渋滞領域１２ａは、上記した表１に示したように、渋滞（２５５，２０４，５１）、他の規制（１５３，２０４，０）、渋滞領域（１９７，１７３，２３）となっている。地図画像における渋滞領域の色情報と、参照画像における渋滞および他の規制の色情報との色距離を、ＲＧＢ空間、ＹＵＶ空間、およびＵＶ空間において算出した市街化距離およびユークリッド距離の結果を表２に示す。表２から明らかなように、ＲＧＢ空間、ＹＵＶ空間において算出した市街化距離およびユークリッド距離の場合には、地図画像の渋滞領域との色距離は、参照画像の渋滞よりも他の規制の方が近い距離になっている。このため、地図画像の渋滞領域が渋滞ではなく他の規制であると認識されてしまう。一方、ＵＶ空間において算出した市街化距離およびユークリッド距離の場合には、地図画像の渋滞領域との色距離は、参照画像の他の規制よりも渋滞の方が近い距離になっている。
2006184631.tif 000006
【００３５】
指定された参照画像の交通事象の色情報に対して、地図画像の全ての画素について該当部分のハイライト表示が終了したときは、メインルーチンに戻る。この結果、図２に示した地図情報を２５６諧調のモノクロ画像で表示部７に表示した場合に、例えば、ユーザによって参照画像１０の渋滞１２の色が指定されたときは、地図画像１１の渋滞領域１２ａがハイライト表示される。
【００３６】
以上のように、この第１実施形態によれば、通信部８は、ネットワークを介してＷｅｂサーバから入力した画像圧縮処理がなされたカラーの地図情報をＲＡＭ４に記憶する。ＣＰＵ１は、ＲＡＭ４に記憶されたカラーの地図情報に含まれている検索の対象となる地図画像の色情報と、交通事象の検索のために参照する複数の参照画像の色情報との色距離を算出し、算出した色距離が閾値ＴＨ１以下の条件を満たすか否かを判定して、条件を満たすと判定した参照画像に対応する地図画像の領域をハイライト表示するように画像処理を行って表示部７に出力する。
したがって、インターネット上に存在する地図情報などのインタラクティブでない画像情報をハイライト表示が可能なインタラクティブな画像情報に設定できる。
【００３７】
また、上記第１実施形態においては、ＣＰＵ１は、ＲＡＭ４に記憶されたカラーの地図情報をモノクロに変換して表示部７に表示した場合に、操作部５によって選択されたモノクロの参照画像に対応するカラーの参照画像の色情報と、表示されたモノクロの地図画像に対応するカラーの地図画像の色情報との色距離を算出し、選択されたモノクロの参照画像に対応するカラーの参照画像の色情報との色距離が閾値ＴＨ１以下の色情報であるカラーの地図画像の領域を判定し、その領域に対応するモノクロの地図画像の領域をハイライト表示する画像処理を行う。
したがって、表示された地図情報がモノクロの場合でも、カラーで表示された地図情報の場合と同様に、モノクロの参照画像が示す交通事象に対応するモノクロの地図画像の領域を対応付けてハイライト表示することにより、カラー表示機能を具備していない簡易型の携帯情報端末でも交通事象を把握することが可能になる。
【００３８】
なお、第１実施形態の変形例として、ＣＰＵ１は、ＲＡＭ４に記憶されたカラーの地図情報をモノクロに変換して表示部７に表示した場合に、操作部５によって選択されたモノクロの地図画像の領域に対応するカラーの地図画像の色情報と、表示されたモノクロの参照画像に対応するカラーの参照画像の色情報との色距離を算出し、選択されたモノクロの地図画像の領域に対応するカラーの地図画像の領域の色情報との色距離が閾値ＴＨ１以下の色情報である特定のカラーの参照画像を判定し、その特定の参照画像に対応するモノクロの参照画像をハイライト表示する画像処理を行うような構成にしてもよい。
例えば、図２の地図情報がモノクロで表示されている場合に、地図画像１１の領域１２ａが操作部５で選択された場合には、ＲＡＭ４に記憶されているカラーの地図画像の領域１２ａの色情報との色距離が閾値ＴＨ１以下であるカラーの参照画像を判定し、その判定したカラーの参照画像１２に対応して、表示されているモノクロの参照画像１２をハイライト表示する。
この場合にも、第１実施形態と同様に、カラー表示機能を具備していない簡易型の携帯情報端末でも交通事象を把握することが可能になる。
【００３９】
また、第１実施形態の変形例として、下記の数３の平方ユークリッド距離、又は、下記の数４の市街地距離によってＹＵＶ空間の色距離を算出するようにしてもよい。
【数３】
2006184631.tif 000007
【数４】
2006184631.tif 000008
ただし、図３のステップＳＡ４においてＵＶ空間の色距離を算出する場合には、上記数３および数４において、輝度情報Ｙの色距離を算出する第１項はない。
【００４０】
また、第１実施形態においては、ＩＴＵ−Ｒ＿ＢＴ．６０１に基づいて、ＲＧＢ空間からＹＵＶ空間への変換を行ったが、ＪＰＥＧ画像の場合には、圧縮を解凍する途中に生成されるＹＵＶを用いてもよい。この場合には、ＲＧＢ区間からＹＵＶ空間への変換を行わない。
【００４１】
さらに、第１実施形態の変形例として、選択した画素が非ＪＰＥＧ画像である場合、又は、選択した画素が低圧縮率のＪＰＥＧ画像である場合には、ＲＧＢ空間の色距離を算出するようにしてもよい。図４はその変形例のフローチャートである。この図に示すように、ステップＳＢ１において選択した画素がＪＰＥＧ画像でない場合、又は、ステップＳＢ２において選択した画素が圧縮率の低いＪＰＥＧ画像である場合には、ステップＳＢ３において、ＲＧＢ空間の色距離を算出する。その他の処理については、図３に示したフローチャートと同じである。
【００４２】
次に、第２実施形態における表示制御処理について、図５および図６を参照して説明する。第２実施形態においては、図２の地図情報における参照画像１０の各色情報を予め記憶して、地図画像１１の領域をハイライト表示する。一般的に、参照画像の色情報と地図画像の色情報は、人間の視覚が許容できる範囲で異なっている。したがって、許容性が小さいほど異なる色を識別できなくなる。第２実施形態では、色の「異なり」に対する許容性を大きくする処理を行うものである。
【００４３】
図５は、参照画像１０の各色情報を記憶する処理を示すＣＰＵ１のフローチャートである。ＲＡＭ４の配列レジスタＬｅｇ［  ］のエリアを指定するポインタｋを０にセットし、参照画像を指定するポインタｊを０にセットして（ステップＳＣ１）、参照画像を順に指定しながら、ステップＳＣ２ないしステップＳＣ５のループ処理を繰返す。ポインタｊの参照画像を指定し（ステップＳＣ２）、その色情報をＬｅｇ［ｋ］にストアする（ステップＳＣ３）。次に、ｋの値およびｊの値をインクリメントして（ステップＳＣ４）、ｊの値が最大値を超えたか否かを判別する（ステップＳＣ５）。ｊの値が最大値を超えない場合には、ステップＳＣ２に移行して、ループ処理を繰返す。ｊの値が最大値を超えたとき、すなわち、全ての参照画像の色情報をＲＡＭ４にストアしたときは、このフローを終了してメインルーチンに戻る。
【００４４】
図６は、図３のステップＳＡ５（図４のステップＳＢ５も同様）において、参照画像の色情報および地図画像の画素の色情報を算出して、その色距離が閾値以下であるかどうかを判定する代わりに、どの参照画像の色が最も近いかを判定してハイライト表示を行う画像処理のフローチャートである。
まず、任意の参照画像（ｊ）が指定されたか否かを判別し（ステップＳＤ１）、選択されたときは、地図画像において指定した座標（ｘ，ｙ）の画素Ｐ（ｘ，ｙ）とＬｅｇ［ｊ］との色距離をＲＡＭ４のレジスタＡにストアする（ステップＳＤ２）。次に、ｋ（ただしｊ以外）を０にセットする（ステップＳＤ３）。そして、ｋの値をインクリメントしながら、ステップＳＤ４からステップＳＤ８までのループ処理を行う。
【００４５】
指定した座標（ｘ，ｙ）の画素Ｐ（ｘ，ｙ）とＬｅｇ［ｋ］との色距離をレジスタＢにストアする（ステップＳＤ４）。次に、レジスタＡの色距離がレジスタＢの色距離よりも小さいか否かを判別する（ステップＳＤ５）。Ａの色距離がＢの色距離よりも小さくないときは、ハイライト表示を行うことなくこのフローチャートを終了する。Ａの色距離がＢの色距離よりも小さいときは、ｋの値をインクリメントする（ステップＳＤ６）。このときｋの値がｊの値と同じになったか否かを判別し（ステップＳＤ７）、同じになったときはステップＳＤ６においてｋの値をインクリメントする。また、インクリメントしたｋの値が最大値を超えたか否かを判別し（ステップＳＤ８）。最大値を超えていない場合には、ステップＳＤ４に移行して、ループ処理を繰返す。ステップＳＤ８においてｋの値が最大値を超えたとき、すなわち、全てのＬｅｇ［  ］中で、画素Ｐ（ｘ，ｙ）の色情報と指定されたＬｅｇ［ｊ］の色情報との色距離が最も小さい場合には、画素Ｐ（ｘ，ｙ）をハイライト表示する（ステップＳＤ９）。
【００４６】
以上のように、この第２実施形態によれば、ＣＰＵ１は、操作に応じて指定された参照画像の色情報と地図画像において指定した画素の色情報との色距離が全ての参照画像の色情報と指定した画素の色情報との色距離の中で最小であるか否かを判別し、その色距離が最小であると判定した場合に指定した画素をハイライト表示する画像処理を行う。
したがって、地図画像の色が複雑になっていても、選択された参照画像の色に対応する地図画像の領域を正確に識別できる。
【００４７】
次に、本発明の第３実施形態における画像通信システムについて、図７および図８を参照して説明する。
図７は、複数の通信端末装置１００がインターネット２００を介して、地図情報やその他の画像情報を配信する複数のＷｅｂサーバ３００に接続されたシステムを示している。このインターネット２００には、設定データベース（ＤＢ）サーバ４００が接続されている。設定ＤＢサーバ４００には、各Ｗｅｂサーバ３００から配信されるカラーの画像情報をモノクロに変換するための複数種類の設定情報が保存されている。各通信端末装置１００は、Ｗｅｂサーバ３００から受信したカラーの画像情報に対して、設定ＤＢサーバ４００から受信した設定情報に基づいてモノクロの画像情報に変換する。設定ＤＢサーバ４００のデータベースに保存されている設定情報は、カラーからモノクロへの変換式のほかに、閾値ＴＨ１、各Ｗｅｂサーバ３００の各ページ（アドレス）内の全ての参照画像の色情報、色距離を判定するためのＹＵＶ空間およびＲＧＢ空間の判定式、通信端末装置１００の利用によって更新される設定情報のランク、設定情報のランクの更新日時などがある。
【００４８】
図８は、設定ＤＢサーバ４００の設定情報を利用する通信端末装置１００のフローチャートである。
Ｗｅｂサーバ３００へアクセスして（ステップＳＥ１）、カラーの画像情報を取得する（ステップＳＥ２）。次に、設定ＤＢサーバ４００へアクセスして（ステップＳＥ３）、設定情報を取得する（ステップＳＥ４）。そして、取得した設定情報に基づいて、カラーの画像情報をモノクロに変換して表示する（ステップＳＥ５）。次に、取得した設定情報が最適であるか確認（評価）する（ステップＳＥ６）。確認した結果、設定情報を変更するか否かを判別する（ステップＳＥ７）。変更する場合には、ステップＳＥ３に移行して、再び設定ＤＢサーバ４００へアクセスする。取得した設定情報が最適で変更しない場合には、このフローチャートを終了する。
設定ＤＢサーバ４００は、通信端末装置１００において利用された設定情報を上位のランクに更新するとともに、その更新日時を記録する。すなわち、各通信端末装置１００において利用された頻度が高い（人気が高い）ほど、設定情報のランクは上位に更新される。
【００４９】
以上のように、この第３実施形態によれば、Ｗｅｂサーバ３００はアクセスした通信端末装置１００に対してカラーの画像情報を配信する。Ｗｅｂサーバ３００から画像情報を配信された通信端末装置１００は、設定ＤＢサーバ４００にアクセスして、設定ＤＢサーバ４００のサーバのデータベースに記憶されている複数種類の設定情報の中から選択して、その選択した設定情報に基づいて配信された画像情報を新たな表示形式であるモノクロ表示の形式に設定する。
設定ＤＢサーバ４００は、複数種類の設定情報の各々に優先順位を付与して記憶しているデータベースにおいて、通信端末装置１００によって選択された設定情報の優先順位を高く更新する。
したがって、インターネット上のＷｅｂサーバから受信した道路交通情報の画像情報を利用するユーザ同士の間において情報交換を可能にして、情報資源の活用性を高くすることができる。
【００５０】
次に、第３実施形態の変形例について、図９を参照して説明する。この変形例は、設定ＤＢサーバ４００に保存される設定情報を拡充する処理である。
通信端末装置１００は、Ｗｅｂサーバ３００からカラーの画像情報を取得した後に、図９のフローチャートにおいて、Ｗｅｂサーバ３００へアクセスして（ステップＳＦ１）、カラーの画像情報をモノクロに変換するための設定情報を取得する（ステップＳＦ２）。次に、取得した設定情報を調整して、最適な設定情報を決定する（ステップＳＦ３）。そして、決定した設定情報を設定ＤＢサーバ４００に送信して登録する（ステップＳＦ４）。
【００５１】
以上のように、この変形例によれば、Ｗｅｂサーバ３００はアクセスした通信端末装置１００に対してカラーの画像情報およびモノクロへの変換式などの設定情報を配信する。通信端末装置１００は、配信された画像情報を新たな表示形式であるモノクロ表示の形式に設定するための設定情報を決定し、設定ＤＢサーバ４００にアクセスして、決定した設定情報を送信して登録する。
したがって、登録される設定情報が多くなって、設定ＤＢサーバ４００のデータベースが拡充されたときは、第３実施形態と同様に、インターネット上のＷｅｂサーバから受信した道路交通情報の画像情報を利用するユーザ同士の間において情報交換を可能にして、情報資源の活用性を高くすることができる。
【００５２】
なお、上記第３実施形態および変形例における通信端末装置１００は、第１実施形態および第２実施形態における表示制御装置によって構成することができる。すなわち、図１に示した通信部８は、ＣＰＵ１の通信制御処理に従って、インターネット２００を介して、Ｗｅｂサーバ３００および設定ＤＢサーバ４００に接続する。ＣＰＵ１は、図８および図９のフローチャートを実行する。
【００５３】
なお、上記第１実施形態、第２実施形態およびこれらの変形例においては、表示制御装置のＲＯＭ３にあらかじめ記憶された処理のプログラムをＣＰＵ１が実行する装置の発明について説明したが、フラッシュＲＯＭなどの書換え可能な不揮発性メモリを設けて、フレキシブルディスク（ＦＤ）、ＣＤ、ＭＤ、ＤＶＤなどの記憶媒体に記録されている表示制御処理のプログラムをインストールしたり、インターネットなどのネットワークからダウンロードした表示制御処理のプログラムをインストールして、そのプログラムをＣＰＵ１が実行することも可能である。この場合には、プログラムの発明やそのプログラムを記録した記録媒体の発明を実現できる。
【００５４】
すなわち、本発明による表示制御処理のプログラムは、
ネットワークを介して外部から入力された特定の画像処理がなされたカラーの画像情報を所定の記憶手段に記憶する第１のステップと、前記記憶手段に記憶されたカラーの画像情報に含まれている検索の対象となる検索画像の色情報と検索のために参照する複数の参照画像の色情報との色距離を算出する第２のステップと、前記第２のステップによって算出された色距離が所定の条件を満たすか否かを判定する第３のステップと、前記第３のステップによって前記条件を満たすと判定された色距離に対応する検索画像および参照画像の少なくとも一方の表示態様を変化させる画像処理を行って所定の表示手段に出力する第４のステップと、を実行する。
【００５５】
前記記憶手段に記憶されたカラーの画像情報をモノクロに変換する第５のステップをさらに実行し、前記第２のステップは、前記第５のステップによって変換されたモノクロの複数の参照画像および検索画像が前記表示手段に表示された場合に、操作に応じて選択されたモノクロの参照画像に対応するカラーの参照画像の色情報と表示されたモノクロの検索画像に対応するカラーの検索画像の色情報との色距離を算出し、前記第４のステップは、表示されたモノクロの検索画像において前記第３のステップによって前記条件を満たすと判定された領域をハイライト表示する画像処理を行う。
【００５６】
前記記憶手段に記憶されたカラーの画像情報をモノクロに変換する第５のステップをさらに備え、前記第２のステップは、前記第５のステップによって変換されたモノクロの複数の参照画像および検索画像が前記表示手段に表示された場合に、操作に応じて選択されたモノクロの検索画像の領域に対応するカラーの検索画像の色情報と表示されたモノクロの複数の参照画像に対応するカラーの参照画像の色情報との色距離を算出し、前記第４のステップは、表示されたモノクロの複数の参照画像において前記第３のステップによって前記条件を満たすと判定された参照画像をハイライト表示する画像処理を行う。
【００５７】
前記第３のステップは、操作に応じて指定された参照画像の色情報と地図画像において指定した画素の色情報との色距離が前記条件を満たしている場合には、さらに当該色距離が全ての参照画像の色情報と当該指定した画素の色情報との色距離の中で最小であるか否かを判別し、前記第４のステップは、前記第３のステップによって当該色距離が最小であると判定した場合に当該指定した画素をハイライト表示する画像処理を行う。
【００５８】
前記第２のステップは、前記記憶手段に記憶された画像情報が前記特定の画像処理によって圧縮されたＪＰＥＧ画像で且つその圧縮率が所定値未満の場合、又は、前記特定の画像処理によって圧縮された画像がＪＰＥＧ画像でない場合には、ＹＵＶ空間のＹＵＶ距離若しくはＲＧＢ空間のＲＧＢ距離によって色距離を算出し、前記画像記憶手段に記憶された画像情報が前記特定の画像処理によって圧縮されたＪＰＥＧ画像で且つその圧縮率が所定値以上である場合には、ＹＵＶ空間のＵＶ距離によって色距離を算出する。
【図面の簡単な説明】
【００５９】
【図１】本発明の各実施形態における表示制御装置の構成を示すブロック図。
【図２】本発明の各実施形態における表示制御装置で処理する地図情報の構成を示す図。
【図３】本発明の第１実施形態におけるＣＰＵの表示制御処理のフローチャート。
【図４】本発明の第１実施形態の変形例における表示制御処理のＣＰＵのフローチャート。
【図５】本発明の第２実施形態におけるＣＰＵの色情報記憶のフローチャート。
【図６】本発明の第２実施形態におけるＣＰＵの表示制御処理のフローチャート。
【図７】本発明の第３実施形態における画像通信システムの構成を示す図。
【図８】本発明の第３実施形態における通信端末装置のフローチャート。
【図９】本発明の第３実施形態の変形例における通信端末装置のフローチャート。
【符号の説明】
【００６０】
１  ＣＰＵ
２  システムバス
３  ＲＯＭ
４  ＲＡＭ
５  操作部
６  ＶＲＡＭ
７  表示部
８  通信部
１０  参照画像
１１  地図画像
１００  通信端末装置
２００  インターネット
３００  Ｗｅｂサーバ
４００  設定データベースサーバ
【図１】
2006184631.tif 000009
【図２】
2006184631.tif 000010
【図３】
2006184631.tif 000011
【図４】
2006184631.tif 000012
【図５】
2006184631.tif 000013
【図６】
2006184631.tif 000014
【図７】
2006184631.tif 000015
【図８】
2006184631.tif 000016
【図９】
2006184631.tif 000017